【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
ダウンリンク制御情報（ＤＣＩ）を含む信号を受信することと、
前記ＤＣＩに関連する１つまたは複数のプロパティに基づいて複数のセル識別子のうちの１つを選択することであって、前記１つまたは複数のプロパティが、セル識別子を判断することのみに関連するのではないことと、
を備える、ワイヤレス通信の方法。
【請求項２】
前記ＤＣＩが拡張物理ダウンリンク制御チャネル（ｅＰＤＣＣＨ）中で受信される、請求項１に記載の方法。
【請求項３】
前記ｅＰＤＣＣＨがｅＰＤＣＣＨスクランブリング識別子でスクランブルされ、前記選択することは、
前記ＤＣＩのフォーマットのタイプを判断することと、
前記ＤＣＩがタイプ１Ａフォーマットを有するとき、前記ｅＰＤＣＣＨスクランブリング識別子に基づいて前記選択されたセル識別子を選択することと、を含む、請求項２に記載の方法。
【請求項４】
前記選択することは、
前記ＤＣＩのフォーマットのタイプを判断することと、
前記ＤＣＩがタイプ１Ａフォーマットを有するとき、所定のセル識別子を選択することと、を含む、請求項２に記載の方法。
【請求項５】
前記選択することは、
前記ＤＣＩが受信されたサブフレームタイプを判断することと、
前記サブフレームがマルチメディアブロードキャストオーバー単一周波数ネットワーク（ＭＢＳＦＮ）サブフレームであるのか非ＭＢＳＦＮサブフレームであるのかを判断することであって、前記セル識別子が、少なくとも部分的に前記サブフレームタイプに基づいて選択されることと、を備える、請求項１に記載の方法。
【請求項６】
信号を受信することが、候補制御チャネル（ＣＣＥ）の少なくとも２つのセットのうちのＣＣＥの第１のセット中で前記ＤＣＩを受信することを含み、前記選択されたセル識別子は、少なくとも部分的に、前記ＤＣＩが受信されたＣＣＥの前記セットに基づいて選択される、請求項１に記載の方法。
【請求項７】
ダウンリンク制御情報（ＤＣＩ）を含む信号を受信するための手段と、
前記ＤＣＩに関連する１つまたは複数のプロパティに基づいて複数のセル識別子のうちの１つを選択するための手段であって、前記１つまたは複数のプロパティが、セル識別子を判断することのみに関連するのではない手段と、
を備える、ワイヤレス通信のための装置。
【請求項８】
アップリンク許可を含むダウンリンク制御情報（ＤＣＩ）を含む信号を受信することであって、前記ＤＣＩがＰＤＣＣＨまたはｅＰＤＣＣＨのうちの１つ中で受信される、受信することと、
前記アップリンク許可に基づいてハイブリッド自動再送要求（ＨＡＲＱ）インジケータのロケーションを判断することと、
前記ＤＣＩに関連するプロパティに基づいて複数のセル識別子のうちの１つを選択することであって、前記プロパティがセル識別子を判断することのみに関係するのではないことと、
を備え、
前記ＨＡＲＱインジケータの前記ロケーションを前記判断することは、
前記許可が前記ＰＤＣＣＨ中で与えられたとき、制御領域において物理ＨＡＲＱインジケータチャネル（ＰＨＩＣＨ）中で前記ＨＡＲＱインジケータを識別すること、および
前記許可が前記ｅＰＤＣＣＨ中で与えられたとき、データ領域において拡張ＰＨＩＣＨ中で前記ＨＡＲＱインジケータを識別すること
のうちの少なくとも１つを含む、
ワイヤレス通信の方法。
【請求項９】
アップリンク許可を含むダウンリンク制御情報（ＤＣＩ）を含む信号を受信するための手段であって、前記ＤＣＩがＰＤＣＣＨまたはｅＰＤＣＣＨのうちの１つ中で受信される手段と、
前記アップリンク許可に基づいてハイブリッドＡＲＱインジケータのロケーションを判断するための手段であって、前記判断するための手段は、
前記許可が前記ＰＤＣＣＨ中で与えられたときの、制御領域における物理ハイブリッドＡＲＱインジケータチャネル（ＰＨＩＣＨ）中の前記ハイブリッドＡＲＱインジケータ、および
前記許可が前記ｅＰＤＣＣＨ中で与えられたときの、データ領域における拡張ＰＨＩＣＨ中の前記ハイブリッドＡＲＱインジケータ
のうちの少なくとも１つを識別し、
前記ＤＣＩに関連するプロパティに基づいて複数のセル識別子のうちの１つを選択するための手段であって、前記プロパティはセル識別子を判断することのみに関係するのではない手段と、
を備える、ワイヤレス通信のための装置。
【請求項１０】
ダウンリンク制御情報（ＤＣＩ）のフォーマットタイプに基づいてインデックスを判断することと、
前記インデックスに基づいてパラメータの複数のセットから前記パラメータのセットを選択することであって、前記パラメータの前記セットが仮想セルの１つまたは複数の特性を定義し、前記パラメータの前記複数のセットが無線リソース制御（ＲＲＣ）シグナリングを通して構成されることと、
を備える、ワイヤレス通信の方法。
【請求項１１】
ダウンリンク制御情報（ＤＣＩ）のフォーマットタイプに基づいてインデックスを判断するための手段と、
前記インデックスに基づいてパラメータの複数のセットから前記パラメータのセットを選択するための手段であって、前記パラメータの前記セットが仮想セルの１つまたは複数の特性を定義し、前記パラメータの前記複数のセットが無線リソース制御（ＲＲＣ）シグナリングを通して構成される手段と、
を備える、ワイヤレス通信のための装置。
【請求項１２】
ダウンリンク制御情報（ＤＣＩ）の１つまたは複数のプロパティを構成することであって、ユーザ機器（ＵＥ）が、前記構成されたプロパティによって示されるセル識別子を判断するように適応され、前記構成されたプロパティが、前記セル識別子を判断することのみに関連するのではないことと、
前記ＤＣＩを含む信号を前記ＵＥに送信することと、
を備える、ワイヤレス通信の方法。
【請求項１３】
ダウンリンク制御情報（ＤＣＩ）の１つまたは複数のプロパティを構成するための手段であって、ユーザ機器（ＵＥ）が、前記構成されたプロパティによって示されるセル識別子を判断するように適応され、前記構成されたプロパティが、前記セル識別子を判断することのみに関連するのではない手段と、
前記ＤＣＩを含む信号を前記ＵＥに送信するための手段と、
を備える、ワイヤレス通信のための装置。
【請求項１４】
ダウンリンク制御情報（ＤＣＩ）の１つまたは複数のプロパティを構成することであって、ユーザ機器（ＵＥ）は、構成されたプロパティによって示されるセル識別子を判断するように適応され、前記構成されたプロパティは、前記セル識別子を判断することのみに関連するのではないことと、
アップリンク許可を含むＤＣＩを含む信号をＵＥに送信することであって、前記ＤＣＩがＰＤＣＣＨまたはｅＰＤＣＣＨのうちの１つ中で送信されることと、
肯定応答（ＡＣＫ）または否定応答（ＮＡＣＫ）を送信することであって、前記ＡＣＫまたは前記ＮＡＣＫを前記送信することが、
前記許可が前記ＰＤＣＣＨ中で与えられたとき、制御領域において物理ハイブリッドＡＲＱインジケータチャネル（ＰＨＩＣＨ）中で前記ＡＣＫまたは前記ＮＡＣＫを送信すること、および、
前記許可が前記ｅＰＤＣＣＨ中で与えられたとき、データ領域において拡張ＰＨＩＣＨ中で前記ＡＣＫまたは前記ＮＡＣＫを送信すること、
のうちの少なくとも１つを備えることと、
を備える、ワイヤレス通信の方法。
【請求項１５】
請求項１から６または８または１０または１２または１４のうちの１つの方法のすべてのステップを実施するようにコンピュータで実行可能なプログラム命令を備えるコンピュータプログラム。
【手続補正２】
【補正対象書類名】明細書
【補正対象項目名】０１２１
【補正方法】変更
【補正の内容】
【０１２１】
[00130]以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
[Ｃ１]
ダウンリンク制御情報（ＤＣＩ）を含む信号を受信することと、
前記ＤＣＩに関連する１つまたは複数のプロパティに基づいて複数のセル識別子のうちの１つを選択することであって、前記１つまたは複数のプロパティが、セル識別子を判断することのみに関連するのではないことと、
を備える、ワイヤレス通信の方法。
[Ｃ２]
前記選択されたセル識別子に基づいて擬似ランダムシーケンス発生器を初期化することをさらに備える、Ｃ１に記載の方法。
[Ｃ３]
無線リソース制御（ＲＲＣ）シグナリングを介して前記複数のセル識別子を受信することをさらに備える、Ｃ１に記載の方法。
[Ｃ４]
前記ＤＣＩが拡張物理ダウンロード制御チャネル（ｅＰＤＣＣＨ）中で受信される、Ｃ１に記載の方法。
[Ｃ５]
前記ｅＰＤＣＣＨがｅＰＤＣＣＨスクランブリング識別子でスクランブルされ、前記選択することは、
前記ＤＣＩのフォーマットのタイプを判断することと、
前記ＤＣＩがタイプ１Ａフォーマットを有するとき、前記ｅＰＤＣＣＨスクランブリング識別子に基づいて前記選択されたセル識別子を選択することと、を含む、Ｃ４に記載の方法。
[Ｃ６]
前記選択することは、
前記ＤＣＩのフォーマットのタイプを判断することと、
前記ＤＣＩがタイプ１Ａフォーマットを有するとき、所定のセル識別子を選択することと、を含む、Ｃ４に記載の方法。
[Ｃ７]
前記選択することは、
前記ＤＣＩが受信されたサブフレームタイプを判断することと、
前記サブフレームがマルチメディアブロードキャストオーバー単一周波数ネットワーク（ＭＢＳＦＮ）サブフレームであるのか非ＭＢＳＦＮサブフレームであるのかを判断することであって、前記セル識別子が、少なくとも部分的に前記サブフレームタイプに基づいて選択されることと、を備える、Ｃ１に記載の方法。
[Ｃ８]
信号を受信することが、候補制御チャネル（ＣＣＥ）の少なくとも２つのセットのうちのＣＣＥの第１のセット中で前記ＤＣＩを受信することを含み、前記選択されたセル識別子は、少なくとも部分的に、前記ＤＣＩが受信されたＣＣＥの前記セットに基づいて選択される、Ｃ１に記載の方法。
[Ｃ９]
前記ＤＣＩがアップリンク許可を含み、前記選択されたセル識別子が、前記アップリンク許可に対応するアップリンク送信のために使用される、Ｃ１に記載の方法。
[Ｃ１０]
前記選択されたセル識別子に基づいてチャネル状態情報（ＣＳＩ）を与えることをさらに備える、Ｃ１に記載の方法。
[Ｃ１１]
ダウンリンク制御情報（ＤＣＩ）を含む信号を受信するための手段と、
前記ＤＣＩに関連する１つまたは複数のプロパティに基づいて複数のセル識別子のうちの１つを選択するための手段であって、前記１つまたは複数のプロパティが、セル識別子を判断することのみに関連するのではない手段と、
を備える、ワイヤレス通信のための装置。
[Ｃ１２]
前記選択されたセル識別子に基づいて擬似ランダムシーケンス発生器を初期化するための手段をさらに備える、Ｃ１１に記載の装置。
[Ｃ１３]
無線リソース制御（ＲＲＣ）シグナリングを介して前記複数のセル識別子を受信するための手段をさらに備える、Ｃ１１に記載の装置。
[Ｃ１４]
前記ＤＣＩが拡張物理ダウンロード制御チャネル（ｅＰＤＣＣＨ）中で受信される、Ｃ１１に記載の装置。
[Ｃ１５]
前記ｅＰＤＣＣＨがｅＰＤＣＣＨスクランブリング識別子でスクランブルされ、選択するための前記手段は、前記ＤＣＩのフォーマットのタイプを判断し、前記ＤＣＩがタイプ１Ａフォーマットを有するとき、前記ｅＰＤＣＣＨスクランブリング識別子に基づいて前記選択されたセル識別子を選択する、Ｃ１４に記載の装置。
[Ｃ１６]
選択するための前記手段は、前記ＤＣＩのフォーマットのタイプを判断し、前記ＤＣＩがタイプ１Ａフォーマットを有するとき、所定のセル識別子を選択する、Ｃ１４に記載の装置。
[Ｃ１７]
選択するための前記手段は、前記ＤＣＩが受信されたサブフレームタイプを判断し、前記サブフレームがマルチメディアブロードキャストオーバー単一周波数ネットワーク（ＭＢＳＦＮ）サブフレームであるのか非ＭＢＳＦＮサブフレームであるのかを判断し、前記セル識別子が、少なくとも部分的に前記サブフレームタイプに基づいて選択される、Ｃ１１に記載の装置。
[Ｃ１８]
信号を受信するための前記手段が、候補制御チャネル（ＣＣＥ）の少なくとも２つのセットのうちのＣＣＥの第１のセット中で前記ＤＣＩを受信し、前記選択されたセル識別子は、少なくとも部分的に、前記ＤＣＩが受信されたＣＣＥの前記セットに基づいて選択される、Ｃ１１に記載の装置。
[Ｃ１９]
前記ＤＣＩがアップリンク許可を含み、前記選択されたセル識別子が、前記アップリンク許可に対応するアップリンク送信のために使用される、Ｃ１１に記載の装置。
[Ｃ２０]
前記選択されたセル識別子に基づいてチャネル状態情報（ＣＳＩ）を与えるための手段をさらに備える、Ｃ１１に記載の装置。
[Ｃ２１]
ダウンリンク制御情報（ＤＣＩ）を含む信号を受信することと、
前記ＤＣＩに関連する１つまたは複数のプロパティに基づいて複数のセル識別子のうちの１つを選択することであって、前記１つまたは複数のプロパティが、セル識別子を判断することのみに関連するのではないことと、を行うように構成された処理システムを備える、ワイヤレス通信のための装置。
[Ｃ２２]
ダウンリンク制御情報（ＤＣＩ）を含む信号を受信することと、
前記ＤＣＩに関連する１つまたは複数のプロパティに基づいて複数のセル識別子のうちの１つを選択することであって、前記１つまたは複数のプロパティが、セル識別子を判断することのみに関連するのではないことと、を行うためのコードを備えるコンピュータ可読媒体を備える、コンピュータプログラム製品。
[Ｃ２３]
アップリンク許可を含むダウンリンク制御情報（ＤＣＩ）を含む信号を受信することであって、前記ＤＣＩがＰＤＣＣＨまたはｅＰＤＣＣＨのうちの１つ中で受信される、受信することと、
前記アップリンク許可に基づいてハイブリッド自動再送要求（ＨＡＲＱ）インジケータのロケーションを判断することであって、
前記許可が前記ＰＤＣＣＨ中で与えられたとき、制御領域において物理ＨＡＲＱインジケータチャネル（ＰＨＩＣＨ）中で前記ＨＡＲＱインジケータを識別すること、および
前記許可が前記ｅＰＤＣＣＨ中で与えられたとき、データ領域において拡張ＰＨＩＣＨ中で前記ＨＡＲＱインジケータを識別すること
のうちの少なくとも１つを含む、判断することと、を備える、ワイヤレス通信の方法。
[Ｃ２４]
前記ＤＣＩに関連するプロパティに基づいて複数のセル識別子のうちの１つを選択することであって、前記プロパティが、セル識別子を判断することのみに関係するのではない、選択することをさらに備える、Ｃ２３に記載の方法。
[Ｃ２５]
前記選択されたセル識別子に基づいて肯定応答または否定応答を受信することをさらに備える、Ｃ２４に記載の方法。
[Ｃ２６]
アップリンク許可を含むダウンリンク制御情報（ＤＣＩ）を含む信号を受信するための手段であって、前記ＤＣＩがＰＤＣＣＨまたはｅＰＤＣＣＨのうちの１つ中で受信される手段と、
前記アップリンク許可に基づいてハイブリッドＡＲＱインジケータのロケーションを判断するための手段であって、
前記許可が前記ＰＤＣＣＨ中で与えられたときの、制御領域における物理ハイブリッドＡＲＱインジケータチャネル（ＰＨＩＣＨ）中の前記ハイブリッドＡＲＱインジケータ、および
前記許可が前記ｅＰＤＣＣＨ中で与えられたときの、データ領域における拡張ＰＨＩＣＨ中の前記ハイブリッドＡＲＱインジケータ
のうちの少なくとも１つを識別する、判断するための手段と、
を備える、ワイヤレス通信のための装置。
[Ｃ２７]
前記ＤＣＩに関連するプロパティに基づいて複数のセル識別子のうちの１つを選択するための手段であって、前記プロパティが、セル識別子を判断することのみに関係するのではない手段をさらに備える、Ｃ２６に記載の装置。
[Ｃ２８]
前記選択されたセル識別子に基づいて肯定応答または否定応答を受信するための手段をさらに備える、Ｃ２７に記載の装置。
[Ｃ２９]
アップリンク許可を含むダウンリンク制御情報（ＤＣＩ）を含む信号を受信することであって、前記ＤＣＩがＰＤＣＣＨまたはｅＰＤＣＣＨのうちの１つ中で受信されることと、
前記アップリンク許可に基づいてハイブリッドＡＲＱインジケータのロケーションを判断することと、を行うように構成された処理システムを備え、
前記処理システムは、
前記許可が前記ＰＤＣＣＨ中で与えられたときの、制御領域における物理ハイブリッドＡＲＱインジケータチャネル（ＰＨＩＣＨ）中の前記ハイブリッドＡＲＱインジケータ、および、
前記許可が前記ｅＰＤＣＣＨ中で与えられたときの、データ領域における拡張ＰＨＩＣＨ中の前記ハイブリッドＡＲＱインジケータ、
のうちの少なくとも１つを識別することによって、前記ロケーションを判断する、ワイヤレス通信のための装置。
[Ｃ３０]
アップリンク許可を含むダウンリンク制御情報（ＤＣＩ）を含む信号を受信することであって、前記ＤＣＩがＰＤＣＣＨまたはｅＰＤＣＣＨのうちの１つ中で受信される、受信することと、
前記アップリンク許可に基づいてハイブリッドＡＲＱインジケータのロケーションを判断することであって、
前記許可が前記ＰＤＣＣＨ中で与えられたとき、制御領域において物理ハイブリッドＡＲＱインジケータチャネル（ＰＨＩＣＨ）中の前記ハイブリッドＡＲＱインジケータを識別すること、および、
前記許可が前記ｅＰＤＣＣＨ中で与えられたとき、データ領域において拡張ＰＨＩＣＨ中の前記ハイブリッドＡＲＱインジケータを識別すること
のうちの少なくとも１つを含む、判断することと、
を行うためのコードを備えるコンピュータ可読媒体
を備える、コンピュータプログラム製品。
[Ｃ３１]
ダウンリンク制御情報（ＤＣＩ）のフォーマットタイプに基づいてインデックスを判断することと、
前記インデックスに基づいてパラメータの複数のセットから前記パラメータのセットを選択することであって、前記パラメータの前記セットが仮想セルの１つまたは複数の特性を定義し、前記パラメータの前記複数のセットが無線リソース制御（ＲＲＣ）シグナリングを通して構成されることと、
を備える、ワイヤレス通信の方法。
[Ｃ３２]
前記パラメータの前記選択されたセットの１つのパラメータを使用して擬似ランダムシーケンス発生器を初期化することをさらに備える、Ｃ３１に記載の方法。
[Ｃ３３]
前記パラメータの前記セットが、アップリンク通信チャネルの特性を定義するために使用される、Ｃ３１に記載の方法。
[Ｃ３４]
ダウンリンク制御情報（ＤＣＩ）のフォーマットタイプに基づいてインデックスを判断するための手段と、
前記インデックスに基づいてパラメータの複数のセットから前記パラメータのセットを選択するための手段であって、前記パラメータの前記セットが仮想セルの１つまたは複数の特性を定義し、前記パラメータの前記複数のセットが無線リソース制御（ＲＲＣ）シグナリングを通して構成される手段と、
を備える、ワイヤレス通信のための装置。
[Ｃ３５]
前記パラメータの前記選択されたセットの１つのパラメータを使用して擬似ランダムシーケンス発生器を初期化するための手段をさらに備える、Ｃ３４に記載の装置。
[Ｃ３６]
前記パラメータの前記セットが、アップリンク通信チャネルの特性を定義するために使用される、Ｃ３５に記載の装置。
[Ｃ３７]
ダウンリンク制御情報（ＤＣＩ）のフォーマットタイプに基づいてインデックスを判断することと、
前記インデックスに基づいてパラメータの複数のセットから前記パラメータのセットを選択することであって、前記パラメータの前記セットが仮想セルの１つまたは複数の特性を定義し、前記パラメータの前記複数のセットが無線リソース制御（ＲＲＣ）シグナリングを通して構成されることと、
を行うように構成された処理システム
を備える、ワイヤレス通信のための装置。
[Ｃ３８]
ダウンリンク制御情報（ＤＣＩ）のフォーマットタイプに基づいてインデックスを判断することと、
前記インデックスに基づいてパラメータの複数のセットから前記パラメータのセットを選択することであって、前記パラメータの前記セットが仮想セルの１つまたは複数の特性を定義し、前記パラメータの前記複数のセットが無線リソース制御（ＲＲＣ）シグナリングを通して構成されることと、
を行うためのコードを備えるコンピュータ可読媒体
を備える、コンピュータプログラム製品。
[Ｃ３９]
ダウンリンク制御情報（ＤＣＩ）の１つまたは複数のプロパティを構成することであって、ユーザ機器（ＵＥ）が、前記構成されたプロパティによって示されるセル識別子を判断するように適応され、前記構成されたプロパティが、前記セル識別子を判断することのみに関連するのではないことと、
前記ＤＣＩを含む信号を前記ＵＥに送信することと、
を備える、ワイヤレス通信の方法。
[Ｃ４０]
無線リソース制御（ＲＲＣ）シグナリング中で前記ＵＥに複数の識別子を与えることであって、前記示されたセル識別子が前記複数の識別子のうちの１つである、与えることをさらに備える、Ｃ３９に記載の方法。
[Ｃ４１]
前記ＵＥが、擬似ランダムシーケンス発生器を初期化するために前記示されたセル識別子を使用するように適応された、Ｃ４０に記載の方法。
[Ｃ４２]
前記ＤＣＩの前記１つまたは複数のプロパティを構成することが、前記ＤＣＩのフォーマットタイプを構成することを含む、Ｃ３９に記載の方法。
[Ｃ４３]
ｅＰＤＣＣＨスクランブリング識別子でスクランブルされた拡張物理ダウンリンク制御チャネル（ｅＰＤＣＣＨ）中で前記ＤＣＩを送信することであって、前記ＤＣＩがタイプ１Ａフォーマットを有するとき、前記示されたセル識別子が前記ｅＰＤＣＣＨスクランブリング識別子であることをさらに備える、Ｃ４２に記載の方法。
[Ｃ４４]
前記ＤＣＩがタイプ１Ａフォーマットを有するとき、前記示されたセル識別子が所定のセル識別子である、Ｃ４２に記載の方法。
[Ｃ４５]
マルチメディアブロードキャストオーバー単一周波数ネットワーク（ＭＢＳＦＮ）サブフレームおよび非ＭＢＳＦＮサブフレームのうちの１つ中で前記ＤＣＩを送信することであって、前記セル識別子が前記サブフレームタイプに基づいて示されることをさらに備える、Ｃ３９に記載の方法。
[Ｃ４６]
前記ＤＣＩの１つまたは複数のプロパティを構成することが、前記ＤＣＩを送信するための制御チャネルを選択することを含み、前記セル識別子が、少なくとも部分的に前記制御チャネル選択によって示される、Ｃ３９に記載の方法。
[Ｃ４７]
前記ＤＣＩがアップリンク許可を含み、前記示されたセル識別子が、前記アップリンク許可に対応するアップリンク送信のために使用されるべきである、Ｃ３９に記載の方法。
[Ｃ４８]
前記選択されたセル識別子が、チャネル状態情報（ＣＳＩ）を与えるために使用されるべきである、Ｃ３９に記載の方法。
[Ｃ４９]
ダウンリンク制御情報（ＤＣＩ）の１つまたは複数のプロパティを構成するための手段であって、ユーザ機器（ＵＥ）が、前記構成されたプロパティによって示されるセル識別子を判断するように適応され、前記構成されたプロパティが、前記セル識別子を判断することのみに関連するのではない手段と、
前記ＤＣＩを含む信号を前記ＵＥに送信するための手段と、
を備える、ワイヤレス通信のための装置。
[Ｃ５０]
無線リソース制御（ＲＲＣ）シグナリング中で前記ＵＥに複数の識別子を与えるための手段であって、前記示されたセル識別子が前記複数の識別子のうちの１つである、与えるための手段をさらに備える、Ｃ４９に記載の装置。
[Ｃ５１]
前記ＵＥが、擬似ランダムシーケンス発生器を初期化するために前記示されたセル識別子を使用するように適応された、Ｃ５０に記載の装置。
[Ｃ５２]
前記ＤＣＩの前記１つまたは複数のプロパティを構成するための前記手段が、前記ＤＣＩのフォーマットタイプを構成する、Ｃ４９に記載の装置。
[Ｃ５３]
ｅＰＤＣＣＨスクランブリング識別子でスクランブルされた拡張物理ダウンロード制御チャネル（ｅＰＤＣＣＨ）中で前記ＤＣＩを送信するための手段であって、前記ＤＣＩがタイプ１Ａフォーマットを有するとき、前記示されたセル識別子が前記ｅＰＤＣＣＨスクランブリング識別子である手段をさらに備える、Ｃ５２に記載の装置。
[Ｃ５４]
前記ＤＣＩがタイプ１Ａフォーマットを有するとき、前記示されたセル識別子が所定のセル識別子である、Ｃ５２に記載の装置。
[Ｃ５５]
マルチメディアブロードキャストオーバー単一周波数ネットワーク（ＭＢＳＦＮ）サブフレームおよび非ＭＢＳＦＮサブフレームのうちの１つ中で前記ＤＣＩを送信するための手段であって、前記セル識別子が前記サブフレームタイプに基づいて示される手段をさらに備える、Ｃ４９に記載の装置。
[Ｃ５６]
前記ＤＣＩの１つまたは複数のプロパティを構成するための前記手段が、前記ＤＣＩを送信するための制御チャネルを選択し、前記セル識別子が、少なくとも部分的に前記制御チャネル選択によって示される、Ｃ４９に記載の装置。
[Ｃ５７]
前記ＤＣＩがアップリンク許可を含み、前記示されたセル識別子が、前記アップリンク許可に対応するアップリンク送信のために使用される、Ｃ４９に記載の装置。
[Ｃ５８]
前記選択されたセル識別子が、チャネル状態情報（ＣＳＩ）を与えるために使用される、Ｃ４９に記載の装置。
[Ｃ５９]
ダウンリンク制御情報（ＤＣＩ）の１つまたは複数のプロパティを構成することであって、ユーザ機器（ＵＥ）が、前記構成されたプロパティによって示されるセル識別子を判断するように適応され、前記構成されたプロパティが、前記セル識別子を判断することのみに関連するのではないことと、
前記ＤＣＩを含む信号を前記ＵＥに送信することと、
を行うように構成された処理システム
を備える、ワイヤレス通信のための装置。
[Ｃ６０]
ダウンリンク制御情報（ＤＣＩ）の１つまたは複数のプロパティを構成することであって、ユーザ機器（ＵＥ）が、前記構成されたプロパティによって示されるセル識別子を判断するように適応され、前記構成されたプロパティが、前記セル識別子を判断することのみに関連するのではないことと、
前記ＤＣＩを含む信号を前記ＵＥに送信することと、
を行うためのコードを備えるコンピュータ可読媒体
を備える、コンピュータプログラム製品。
[Ｃ６１]
アップリンク許可を含むダウンリンク制御情報（ＤＣＩ）を含む信号をユーザ機器（ＵＥ）に送信することであって、前記ＤＣＩがＰＤＣＣＨまたはｅＰＤＣＣＨのうちの１つ中で送信されることと、
肯定応答（ＡＣＫ）または否定応答（ＮＡＣＫ）を送信することであって、前記ＡＣＫまたは前記ＮＡＣＫを前記送信することが、
前記許可が前記ＰＤＣＣＨ中で与えられたとき、制御領域において物理ハイブリッドＡＲＱインジケータチャネル（ＰＨＩＣＨ）中で前記ＡＣＫまたは前記ＮＡＣＫを送信すること、および、
前記許可が前記ｅＰＤＣＣＨ中で与えられたとき、データ領域において拡張ＰＨＩＣＨ中で前記ＡＣＫまたは前記ＮＡＣＫを送信すること、
のうちの少なくとも１つを備えることと、
を備える、ワイヤレス通信の方法。
[Ｃ６２]
前記ＤＣＩの１つまたは複数のプロパティを構成することであって、前記ＵＥが、前記構成されたプロパティによって示されるセル識別子を判断するように適応され、前記構成されたプロパティが、前記セル識別子を判断することのみに関連するのではないことをさらに備える、Ｃ６１に記載の方法。
[Ｃ６３]
アップリンク許可を含むダウンリンク制御情報（ＤＣＩ）を含む信号をユーザ機器（ＵＥ）に送信するための手段であって、前記ＤＣＩがＰＤＣＣＨまたはｅＰＤＣＣＨのうちの１つ中で送信される手段と、
肯定応答（ＡＣＫ）または否定応答（ＮＡＣＫ）を送信するための手段であって、
前記許可が前記ＰＤＣＣＨ中で与えられたときには制御領域において物理ハイブリッドＡＲＱインジケータチャネル（ＰＨＩＣＨ）中で、および、
前記許可が前記ｅＰＤＣＣＨ中で与えられたときにはデータ領域において拡張ＰＨＩＣＨ中で
前記ＡＣＫまたは前記ＮＡＣＫを送信する手段と、
を備える、ワイヤレス通信のための装置。
[Ｃ６４]
前記ＤＣＩの１つまたは複数のプロパティを構成するための手段であって、前記ＵＥが、前記構成されたプロパティに基づいて、前記ＰＨＩＣＨが前記制御領域において送信されるのか前記データ領域において送信されるのかを判断するように適応された手段をさらに備える、Ｃ６３に記載の装置。
[Ｃ６５]
アップリンク許可を含むダウンリンク制御情報（ＤＣＩ）を含む信号をユーザ機器（ＵＥ）に送信することであって、前記ＤＣＩがＰＤＣＣＨまたはｅＰＤＣＣＨのうちの１つ中で送信されることと、
肯定応答（ＡＣＫ）または否定応答（ＮＡＣＫ）を送信することと、
を行うように構成された処理システムであって、
前記許可が前記ＰＤＣＣＨ中で与えられたときの、制御領域における物理ハイブリッドＡＲＱインジケータチャネル（ＰＨＩＣＨ）、および、
前記許可が前記ｅＰＤＣＣＨ中で与えられたときの、データ領域における拡張ＰＨＩＣＨ
のうちの少なくとも１つ中で前記ＡＣＫまたは前記ＮＡＣＫを送信する、処理システムを備える、ワイヤレス通信のための装置。
[Ｃ６６]
アップリンク許可を含むダウンリンク制御情報（ＤＣＩ）を含む信号をユーザ機器（ＵＥ）に送信することであって、前記ＤＣＩがＰＤＣＣＨまたはｅＰＤＣＣＨのうちの１つ中で送信されることと、
肯定応答（ＡＣＫ）または否定応答（ＮＡＣＫ）を送信することであって、前記ＡＣＫまたは前記ＮＡＣＫを前記送信することが、
前記許可が前記ＰＤＣＣＨ中で与えられたとき、制御領域において物理ハイブリッドＡＲＱインジケータチャネル（ＰＨＩＣＨ）中で前記ＡＣＫまたは前記ＮＡＣＫを送信すること、および、
前記許可が前記ｅＰＤＣＣＨ中で与えられたとき、データ領域において拡張ＰＨＩＣＨ中で前記ＡＣＫまたは前記ＮＡＣＫを送信すること
のうちの少なくとも１つを備えることと、
を行うためのコードを備えるコンピュータ可読媒体
を備える、コンピュータプログラム製品。